(57)【要約】【課題】磁気カードの磁気ストライプ部分の使用、収納を容易に行う。【解決手段】保護ケース１０は、大別して、カード保持体１２と、カード保持体１２に対してスライド自在に設けられた保護カバー１４と、から構成されている。収納位置においては、カード保持体１２の下辺からカード４０の磁気ストライプ４２の部分がはみ出しているが、保護カバー１４がその回りを覆っている。カード保持体１２又は保護カバー１４に押出力を加えると、シャフト１８は、ガイド通路２６にガイドされ、圧縮バネ２２は、棚上面３０ａにより、圧縮する。最終的には、保護カバー１４は、磁気ストライプ４２が保護カバー１４から露出した使用位置にスライドする。これにより、磁気ストライプ４２の磁気情報をカード読み取り装置に読み取らせることができる。この押出力を解除すると、圧縮バネ２２の復帰力により保護カバー１４は収納位置に戻される。【選択図】図５
2006000374.tif 000002
【特許請求の範囲】
【請求項１】
カード読み取り装置に読み取らせるための磁気ストライプを持った磁気カードの保護ケースであって、
磁気カードの磁気ストライプを除いた一部で磁気カードを保持するカード保持体と、
カード保持体に保持された磁気カードの磁気ストライプを被覆、露出するためにカード保持体に対してスライド自在に設けられた保護カバーと、
を備え、
磁気カードの収納位置において、保護カバーは磁気ストライプを被覆しており、保護カバーをカード保持体に対して相対的にスライドさせた使用位置において、保護カバーは磁気ストライプが保護カバーから露出されることを特徴とする磁気カードの保護ケース。
【請求項２】
請求項１に記載の磁気カードの保護ケースであって、
カード保持体と保護カバー間に設けられた圧縮バネを備え、
圧縮バネはカード保持体を収納位置に付勢しており、カード保持体又は保護カバーに押出力を与えると圧縮バネが圧縮し、磁気ストライプが保護カバーから露出された使用位置にスライドし、押出力を解除するとそれに伴って圧縮バネが復帰して保護カバーが収納位置に戻ることを特徴とする磁気カードの保護ケース。
【請求項３】
請求項１又は２に記載の磁気カードの保護ケースであって、
前記保護カバーは、中空の扁平直方体形状の剛性部材から構成され、カード表面と非接触状態で収納していることを特徴とする磁気カードの保護ケース。
【請求項４】
請求項１〜３の何れか１項に記載の磁気カードの保護ケースであって、
前記磁気カードは、ＩＣを内蔵した磁気ストライプ付き非接触型ＩＣカードであることを特徴とする磁気カードの保護ケース。
【発明の詳細な説明】
【技術分野】
【０００１】
本発明は磁気カードの保護ケースに関し、磁気カードに形成された磁気ストライプの部分を容易に露出、収納可能な磁気カードの保護ケースの改良に関する。
【背景技術】
【０００２】
従来から、磁気カードや非接触型ＩＣカードが、企業や団体の従業員、職員であることを証明するために、工場や研究所への入退室管理を行うために利用されている。
【０００３】
磁気カードは、情報の読み書きを行うための磁気ストライプがカードの長手方向に沿って形成され、この磁気ストライプをカード読み取り装置に接触させて情報の読み書きを行っている。更に、非接触型ＩＣカードは、通信アンテナやＩＣチップを含むＩＣモジュールがカード内部に埋め込まれ、リーダ／ライタに対して情報をやり取りできる距離に近づけるだけで、情報の送受信が可能となっている。最近では、磁気カードにＩＣモジュールが内蔵された磁気ストライプ付き非接触型ＩＣカードも使用されている。接触型ＩＣカードは、読取精度が高く、利便性が高くそのニーズが増加しており、例えば、社員証等を磁気カードから非接触型ＩＣカードに切り替えたい場合に、所定の場所への入退室管理には磁気カードを利用せざるおえない場合に、磁気カードにＩＣモジュールを内蔵させることになる。
【発明の開示】
【発明が解決しようとする課題】
【０００４】
上述したようなカードは、故障防止のため保護ケースへ入れて持ち歩くことが推奨されている。
【０００５】
しかしながら、磁気カードは、使用時に磁気ストライプを保護ケースから露出させなければならない。従って、使用される保護ケースには、容易な取り出し、収納を行うことが望まれている。
【０００６】
また、非接触型ＩＣカードや磁気ストライプ付き非接触型ＩＣカードでは、特に、ＩＣモジュールを外圧から保護するためにハードケースへの保管が望まれている。磁気ストライプ付き非接触型ＩＣカードでは、非接触型カードとして使用する場合にはケースから取り出す必要がないにも関わらず、磁気カードとして使用する場合には保護ケースからの取り出しが必要になる。この取り出し時に保護ケースとカードがこすれると、保護ケースとの摩擦により傷が付いて故障するという問題がある。
【０００７】
なお、特開平１−１０７７０３号公報には、押しボタンにより定期券の一部を指で掴める程度に飛び出させる定期券入れが開示されている。しかし、この定期券入れでは、ケースに定期入れを入れたまま使用することを想定しておらず、また、定期入れは、ケースにが接触して保持されているので、外圧を受けやすく、また取り出し、収納時にケースとの摩擦が生じ、傷が付き易いという問題がある。
【０００８】
そこで本発明は、上記課題を解決するためになされたもので、磁気カードの保護ケースに関し、磁気ストライプ部分の使用、収納を容易に行える磁気カードの保護ケースを提供することを目的とする。
【課題を解決するための手段】
【０００９】
本発明の磁気カードの保護ケースは、カード読み取り装置に読み取らせるための磁気ストライプを持った磁気カードの保護ケースであって、磁気カードの磁気ストライプを除いた一部で磁気カードを保持するカード保持体と、カード保持体に保持された磁気カードの磁気ストライプを被覆、露出するためにカード保持体に対してスライド自在に設けられた保護カバーと、を備え、磁気カードの収納位置において、保護カバーは磁気ストライプを被覆しており、保護カバーをカード保持体に対して相対的にスライドさせた使用位置において、保護カバーは磁気ストライプが保護カバーから露出されることを特徴とする。
【００１０】
また、本発明の磁気カードの保護ケースは、カード保持体と保護カバー間に設けられた圧縮バネを備え、圧縮バネはカード保持体を収納位置に付勢しており、カード保持体又は保護カバーに押出力を与えると圧縮バネが圧縮し、磁気ストライプが保護カバーから露出された使用位置にスライドし、押出力を解除するとそれに伴って圧縮バネが復帰して保護カバーが収納位置に戻ることを特徴とする。
【００１１】
更に、本発明の磁気カードの保護ケースにおいて、保護カバーは、中空の扁平直方体形状の剛性部材から構成され、カード表面と非接触状態で収納していることを特徴とする。
【００１２】
更に、本発明の磁気カードの保護ケースは、ＩＣを内蔵した磁気ストライプ付き非接触型ＩＣカードであることを特徴とする。
【発明の効果】
【００１３】
本発明によれば、カードを保持するカード保持体に対してスライド自在な保護ケースを設けたので、カードをケースに保持したまま、磁気ストライプ部分を露出させ、かつ収納を容易に行うことができる。
【発明を実施するための最良の形態】
【００１４】
以下、発明を実施するための形態（以下、実施形態という）について、図面を参照し説明する。
【００１５】
図１は、本実施形態の磁気カードの保護ケースの概略構成図と、本実施形態の磁気カードの保護ケースに使用されるカードの構成を示す図である。
【００１６】
図１（Ａ）に示すように、磁気カードの保護ケース１０にカード４０が収納される。
【００１７】
本実施形態のカード４０は、２つの読み取り装置に対応可能な情報記憶部が形成された磁気ストライプ付き非接触型ＩＣカードである。その１つは、図１（Ｂ）に示すように、所定の情報が磁気情報として記憶された磁気ストライプ４２であり、この磁気ストライプ４２はカードの長辺に平行に形成される。この磁気ストライプ４２に記憶された磁気情報対しては、この磁気ストライプ４２をカード読み取り装置に接触させて、読み書きが可能になっている。他の１つは、通信アンテナやＩＣチップからなるＩＣモジュール４４が磁気ストライプ４２の上側に内蔵され、このＩＣチップに所定の情報がＩＣ情報として記憶されている。このＩＣ情報は、カードを所定のリーダ／ライタに読み書き可能な距離に近づけて、言い換えるとリーダ／ライタに非接触状態で情報の送受信が可能になっている。本実施形態の保護ケース１０は、このような磁気ストライプ付き非接触型ＩＣカード４０に好適に適用され、磁気情報を使用する場合には、磁気ストライプ４２を保護ケース１０から露出させ、一方、ＩＣ情報を使用する場合には、保護ケース１０に収納した状態で使用可能に構成されている。
【００１８】
図１（Ａ）に戻り、保護ケース１０は、大別して、カード４０の磁気ストライプ４２を除いた部分でカード４０を保持するカード保持体１２と、カード保持体１２に対してスライド自在に設けられた保護カバー１４と、から構成されている。本実施形態においては、この保護カバー１４が図１の矢印方向に相対的にスライド可能であり、保護カバー１４を相対的に矢印方向にスライドさせて磁気ストライプ４２を保護カバー１４から露出させることができる。なお、この保護ケース１０は、例えば合成樹脂等の剛性の部材、更には透明部材で構成すると好適である。これにより、ＩＣモジュール４４を外側の外圧から保護することができ、また、保護ケース１０に収納されたカード４０の表面に印刷される目視情報を見ることができる。
【００１９】
以下、カード保持体１２と保護カバー１４の構成について詳細に説明する。
【００２０】
図２は、カード保持体の構成を示す図であり、図２（Ａ）は、カード保持体の正面図、図２（Ｂ）は、図２（Ａ）のＡ−Ａ線断面図、図２（Ｃ）は、カード保持体の底面図である。
【００２１】
カード保持体１２は、略長方形の基体部分１６と、この基体部分１６の両側に形成されたシャフト１８と、から構成されている。基体部分１６の表面には、カード４０を挟持する２つの保持クリップ２０が固定されている。基体部分１６の短辺は、保持クリップ２０がカード４０を挟持した状態で、カード４０の磁気ストライプ４２がカード保持体１２の下辺からはみ出すような長さで形成されている。
【００２２】
シャフト１８は、スライド時において、後述する保護カバー１４のガイド通路にガイドされる。このシャフト１８の回りに伸縮自在に圧縮バネ２２が巻き付けられており、後述するように、この圧縮バネ２２は保護カバー１４の一部に当接し、保護カバー１４を収納方向に付勢する。
【００２３】
カード保持体１２の裏面には、その表面から突出したストッパ２４が設けられ、後述する保護カバー１４に形成されたスライド溝間をスライドし、カード保持体１２の収納位置以上の移動を規制している。
【００２４】
次に、保護カバーの構成について説明する。図３は、保護カバーの構成を示す図であり、図３（Ａ）は、保護カバーの正面図、図３（Ｂ）は、Ａ−Ａ線断面図、図３（Ｃ）は、平面図、図３（Ｄ）は、Ｂ−Ｂ線断面図、図３（Ｅ）は、一部破断断面図である。
【００２５】
保護カバー１４は、上部と下部が開放された大略中空の扁平直方体形状で構成されている。保護カバー１４の内側には、その両側にカード保持体１２のシャフト１８がガイドされるガイド通路２６と、後面側にカード保持体１２のストッパ２４がスライドするスライド溝２８が形成されている。
【００２６】
ガイド通路２６は、保護カバー１４の両側部から内側に突出した棚３０の上下方向に伸延した長孔を形成により構成されている。ガイド通路２６は、前述したとおり、カード保持体１２のシャフト１８が移動可能になっており、シャフト１８の移動の際には、棚上面３０ａは圧縮バネ２２に当接し、圧縮バネ２２を圧縮する。
【００２７】
スライド溝２８は、保護カバー１４の後面を一部削ることで形成でき、スライド溝２８の上縁２８ａと下縁２８ｂの間でのカード保持体１２のストッパ２４の摺動を許容する。
【００２８】
次に、カード保持体１２と保護カバー１４が組み合わされた時の作用について説明する。
【００２９】
図４は、保護ケースが収納位置にある状態を説明する図であり、図４（Ａ）は、正面から見た図であり、図４（Ｂ）は、図４（Ａ）のＡ−Ａ線断面図である。図５は、保護ケースが使用位置にある状態を説明する図であり、図５（Ａ）は、正面から見た図であり、図５（Ｂ）は、図４（Ａ）のＡ−Ａ線断面図である。
【００３０】
図４に示すように、カード保持体１２の保持クリップ２０によりカード４０が保持されている。カード保持体１２の下辺からカード４０の磁気ストライプ４２の部分がはみ出しているが、保護カバー１４がその回りを覆っている。上述したように、保護カバー１４は、中空で構成されているので、カード４０の表面、磁気ストライプ４２とＩＣモジュール部分４４を非接触状態で覆うことができる。これにより、カード４０の収納位置において、カード４０を外圧から保護すると共に、カード４０の取り出しの際にカード４０と保護カバー１４との摺動を防止して、カード４０に傷が付くことを防止することができる。
【００３１】
収納位置においては、カード保持体１２のシャフト１８の先端が保護カバー１４のガイド通路２６に挿入され、圧縮バネ２２が棚上面３０ａに当接している。圧縮バネ２６が棚上面３０ａに当接することにより、カード保持体１２は収納方向に付勢される。ここで、カード保持体１２のストッパ２４が保護カバー１４のスライド溝２８の上縁２８ａに係止されるので、カード保持体１２の移動を規制し収納位置に保持することができる。
【００３２】
このような状態からカード保持体１２又は保護カバー１４に例えば手で押出力を加えると、シャフト１８は、ガイド通路２６にガイドされ、圧縮バネ２２は、棚上面３０ａにより、圧縮する。最終的には、図５に示すように、保護カバー１４は、磁気ストライプ４２が保護カバー１４から露出した使用位置にスライドする。これにより、磁気ストライプ４２の磁気情報をカード読み取り装置に読み取らせることができる。
【００３３】
この押出力を解除すると、圧縮バネ２２の復帰力によりカード保持体１２は収納位置に戻される。このように、圧縮バネ２２の復帰力を利用して、自然にカード保持体１２を戻すことにしたので、収納が容易となる。
【００３４】
次に、図１〜図５を用いて保護ケース１０の全体作用について説明する。
【００３５】
図１に示すように、カード保持体１２の保持クリップ２０によりカード４０が保持され、カード４０は保護ケース１０に収納されている。このカード４０のＩＣ情報を利用する場合には、保護ケース１０にカード４０を収納したままで、リーダ／ライタに近づけることで情報の読み書きを行う。
【００３６】
磁気情報を利用したい場合には、例えば、保護カバー１４の下端をカード読み取り装置の磁気ストライプ挿入部に押し付けて、保護カバー１４に押出力を加える。カード保持体１２のシャフト１８は、保護カバー１４のガイド通路２６にガイドされると共に、圧縮バネ２２は棚上面３０ａに当接し、圧縮する。このようにカード保持体１２がスライドすると、磁気ストライプ４２が保護カバー１４から露出する（図５（Ａ）参照）。この状態で、磁気ストライプ４２をカード読み取り装置の読み取り部に挿入させ、保護ケース１０をカード読み取り装置の読み取り部に沿って移動させ、磁気情報をカード読み取り装置に読み取らせることができる。
【００３７】
最後に、磁気情報の読み取りが終了したら、保護ケース１０をカード読み取り装置から離して、保護ケース１０に与えられた押出力を解除する。これにより、圧縮バネ２２は復帰するので、カード保持体１２は収納位置に戻される。このように、圧縮バネ２２の復帰力を利用して、自然にカード保持体１２を戻すことにしたので、収納が容易となる。
【００３８】
なお、本実施形態においては、磁気カードの保護ケースが適用される例として、磁気ストライプ付き非接触型ＩＣカードを用いて説明したが、磁気カード、非接触型ＩＣカード、その他の情報記憶カードにも適用することができる。
【図面の簡単な説明】
【００３９】
【図１】本実施形態の磁気カードの保護ケースの概略構成図と、本実施形態の磁気カードの保護ケースに使用されるカードの構成を示す図である。
【図２】カード保持体の構成を示す図である。
【図３】保護カバーの構成を示す図である。
【図４】保護ケースが収納位置にある状態を説明する図である。
【図５】保護ケースが使用位置にある状態を説明する図である。
【符号の説明】
【００４０】
１０  保護ケース、１２  カード保持体、１４  保護カバー、１６  基体部分、１８  シャフト、２０  保持クリップ、２２  圧縮バネ、２４  ストッパ、２６  ガイド通路、
２８  スライド溝、２８ａ  上縁、２８ｂ  下縁、３０  棚、３０ａ  棚上面、４０  カード、４２  磁気ストライプ、４４  ＩＣモジュール。
【図１】
2006000374.tif 000003
【図２】
2006000374.tif 000004
【図３】
2006000374.tif 000005
【図４】
2006000374.tif 000006
【図５】
2006000374.tif 000007